(57)【要約】      （修正有）【課題】コンクリート型枠を緊締する金具であって、セパレータ部材に結合する構造部を頭部に具備し、胴部にバタ材を載置する鞍部材を装架し、後部にコンクリート型枠に対して押圧部材を具備した万力的な構造により、施工性を向上させる。【解決手段】板セパレータ、丸セパ、板状セパレータ等に対して用いるコンクリート型枠緊締金具であって、平鋼のバタ材１７を使用することで押圧する締付ボルト１５の軸心と頭部の支持点が胴部１３に近づくことから万力的な構造を有利にする。また、胴部１３に装架する進退可能な鞍部材にバタ材１７を上方から２枚重ねに載置することで落下の危険性も少なくなり、安全的かつ、作業が簡便となる。さらに、鋼管のバタ材に比して体積量が減少されることから現場での保管および足場上での仮置が容易となる。【選択図】図１
2009057727.tif 000002
【特許請求の範囲】
【請求項１】
対抗するコンクリート型枠間に介装されてコンクリート型枠の間隔を保持するセパレータ部材を介してコンクリート型枠を緊締するコンクリート型枠緊締金具であって、セパレータに開設された係止孔と相似する挿通孔を設けてなる板状の頭部を有し、胴部にバタ材を載置する鞍部材を進退可能に装架するとともに、後部に前記バタ材を載置した鞍部材をコンクリート型枠に対して押圧する押圧部材を具備することを特徴とするコンクリート型枠緊締金具。
【請求項２】
対抗するコンクリート型枠間に介装されてコンクリート型枠の間隔を保持するセパレータ部材を介してコンクリート型枠を緊締するコンクリート型枠緊締金具であって、セパレータの頭部に成形されたネジと螺合するネジ孔を形成してなる螺合部材を装着した頭部を有し、胴部にバタ材を載置する鞍部材を進退可能に装架するとともに、後部に前記バタ材を載置した鞍部材をコンクリート型枠に対して押圧する押圧部材を具備することを特徴とするコンクリート型枠緊締金具。
【請求項３】
対抗するコンクリート型枠間に介装されてコンクリート型枠の間隔を保持するセパレータ部材を介してコンクリート型枠を緊締するコンクリート型枠緊締金具であって、セパレータの端部に成形されたネジ部が貫通する挿通孔を穿孔してなる連結板を胴部と直交して頭部に固着してなり、胴部にバタ材を載置する鞍部材を進退可能に装架するとともに、後部に前記バタ材を載置した鞍部材をコンクリート型枠に対して押圧する押圧部材を具備することともに、前記連結板の挿通孔から突出するセパレータ部材のネジ部に螺合するナットにより締付け固定することを特徴とするコンクリート型枠緊締金具。
【請求項４】
対抗するコンクリート型枠間に介装されてコンクリート型枠の間隔を保持するセパレータ部材を介してコンクリート型枠を緊締するコンクリート型枠緊締金具であって、セパレータの頭部に成形された係止孔と相似する挿通孔を設けてなる略ユ字形状の連接部材を装着した頭部を有し、胴部にバタ材を載置する鞍部材を進退可能に装架するとともに、後部に前記バタ材を載置した鞍部材をコンクリート型枠に対して押圧する押圧部材を具備することを特徴とするコンクリート型枠緊締金具。
【請求項５】
対抗するコンクリート型枠間に介装されてコンクリート型枠の間隔を保持するセパレータ部材を介してコンクリート型枠を緊締するコンクリート型枠緊締金具であって、胴部にバタ材を載置する鞍部材を進退可能に装架し、その胴部の先端頭部にセパレータ部材と接合する連接部を有し、後部上方にバタ材を載置した前記鞍部材を押圧するための締付けボルトを螺合したナットを固着し、平鋼のバタ材を用いることで、締付けボルトの軸心が胴部に近づくことから胴部に加わる曲げモーメントの負担を少なくした構造にし、上方からバタ材を載置するようにしたことを特徴とするコンクリート型枠緊締金具。
【発明の詳細な説明】
【技術分野】
【０００１】
本発明は、コンクリートユニット型枠の緊締に用いるコンクリート型枠緊締金具に関するものである。
【背景技術】
【０００２】
コンクリート構造物である壁体の施工時におけるコンクリートの打設に際しては、構造物の骨格として補強材となる鉄筋の配筋が完了したのち、その両側にコンクリート型枠（以下、単に型枠と言うことがある。）をそれぞれ連設してユニット化し、この時、対抗するコンクリート型枠間に型枠を所要間隔に維持するようにセパレータ部材を配置するとともに、前記セパレータ部材により対抗するコンクリート型枠を緊締し、さらに、コンクリート打設時にコンクリート型枠に作用する荷重を支持するようにコンクリート型枠の背面を支持するバタ材を配置固定し、この様にして構築されたコンクリート型枠ユニット間にコンクリートを供給する（流し込む）ことによりコンクリート構造物の施工が行われる。  
【０００３】
前述するコンクリート型枠のユニット化への構築に際して使用されるセパレータ部材には概ね３種類の形態のもの、即ち、丸棒状のセパレータ部材である丸セパ、薄板による板セパレータ、平鋼による板状セパレータが存在するが、これらのセパレータ部材はコンクリート型枠の形態によって、あるいは、施行者の設計によって使い分けが行われ、また、従来から多用される型枠としては、型枠の製作の容易さ、型枠同士を連結するために釘打ち等による作業の簡便性、型枠が木質で軽量であることに由来する施工時における運搬、ハンドリング等の取り扱いが容易であることなどの理由から木質合板製のコンクリート型枠が多用されている。  
【０００４】
この様にコンクリート型枠が木質系である場合、例えば、特開２００４−０２７５９２号公報、あるいは、「製品カタログＮＯ３コンクリート型枠編」（岡部株式会社発行）に一例を示すところの丸セパが使用され、鉄筋の配筋を挟んで対抗して配置されるコンクリート型枠のせき板にそれぞれ所要ピッチでドリルによって貫通孔をもうけ、該貫通孔に、両端ネジを刻設してなる丸セパにおけるネジがそれぞれせき板から突出するように嵌挿し、隣接する型枠を釘あるいは連結金具等により連結した後、締付金具であるフォームタイ（登録商標）を前記ネジに螺止し、さらに、該フォームタイにコンクリート打設時に型枠に作用するコンクリートの荷重を支持するバタ材を上下に配置固定し、コンクリート型枠を緊締してユニット化として型枠の構築が行われている。
【０００５】
前述するバタ材については、外径が４８．６ｍｍの丸鋼管（以下、単に単管と言うこともある。）または角鋼管等のバタ材をフォームタイの上下に配置することで応力の均衡を保ち安定を支持する方法が一般的に採用されている。また、円形型枠に使用するバタ材については、曲げ加工が容易な塩ビ管（ＶＰ管）あるいは切削加工が容易な木質材が使用されている。
【０００６】
また、フォームタイの締付け部である締付杆のナットの締め過ぎによる、コンクリート型枠のせき板が変形することもあるため、せき板変形防止用スペーサが提案されている（例えば、特開２００５−１７１６６２号公報参照。）。  
【０００７】
このようなことから近年において、コンクリート型枠の製作手間を削減して反復使用を可能とし、また、施工性を容易にし、コストダウンを図ることを目的とする金属製コンクリート型枠であるメタルフォームあるいはクリップ孔を一定間隔に穿孔した力骨となる金属製Ｌ型形状の縁リブを木質合板の両端に固定してなるコンクリート型枠が評価されるようになった。この場合、コンクリート型枠を列設するに際して、コンクリート型枠間に板セパレータを狭着するとともに、ユニット化のためにコンクリート型枠の縁リブに設けられているクリップ孔にクリップ金具を用いてコンクリート型枠を一体的に締結し、さらに、コンクリート型枠の縁リブに設けられている別のクリップ孔を利用してバタ材を取付けて面通しの調整が行う工法が注目されている。    
【特許文献１】特開２００６−２０７３６７号公報
【特許文献２】特開２００５−１７１６６２号公報
【特許文献３】特開２００４−０２７５９２号公報
【特許文献４】特開２００１−２６２８２５号公報
【特許文献５】特開２００１−０２７０４４号公報
【特許文献６】実開平０６−０４９６５８号公報
【非特許文献１】製品カタログＮＯ3コンクリート型枠編−岡部株式会社発行
【非特許文献２】総合カタログ−岡部株式会社発行
【発明の開示】
【発明が解決しようとする課題】
【０００８】
本発明は前述の諸点に鑑みなされたもので、対向して配置されるコンクリート型枠を所定間隔に保持し締結する構造であって、コンクリート型枠の背面を押圧する直線あるいは曲線状に形成されたバタ材により列設する複数の型枠背面を前記バタ材の形状に合わせ押圧固定するための新規な構造を有するコンクリート型枠緊締金具にある。詳しくは、鞍部材を装架する胴部にセパレータ部材と結合する頭部を有し、後部に鞍部材を押圧する押圧部材を具備した万力的な構造により、平鋼のバタ材を鞍部材に載置し、コンクリート型枠に対して締付け押圧することで、コンクリート型枠の緊締作業を安全かつ、簡便にするコンクリート型枠緊締金具を提供することにある。  
【０００９】
また、板セパレータ（肉薄の金属板によるセパレータ）、丸セパ（丸棒鋼によるセパレータ）、板状セパレータ（平鋼によるセパレータ）等のセパレータ部材に対して用いるコンクリート型枠緊締金具に関することにある。
【課題を解決するための手段】
【００１０】
本発明は前述の諸点に鑑みなされたものであって、対向するコンクリート型枠間に介装されたコンクリート型枠の間隔を保持するセパレータ部材を介してコンクリート型枠を緊締する金具であって、万力的な構造である頭部にセパレータ部材と結合する連接部を有し、胴部にバタ材を載置する進退可能な鞍部材を装架するとともに、後部にバタ材を載置した前記鞍部材をコンクリート型枠に対して押圧する押圧部材を具備するコンクリート型枠緊締金具の構造に関するものである。要するに、頭部の構造、胴部の構造、後部の構造により、構成されるコンクリート型枠緊締金具の構造に関するものである。
【００１１】
前述記載する頭部の構造にあっては、板セパレータに開設された係止孔と相似する挿通孔を板状の頭部に穿設する。したがって、コンクリート型枠縁リブ間に板セパレータを挟み込みクリップ金具により連結する前記クリップ金具の突出部を利用してコンクリート型枠緊締金具を係止し、略凹状の開先挟着口を設けた鞍部材を押圧すると同時にコンクリート型枠の連接部である縁リブに前記開先挟着口が嵌合することでコンクリート型枠緊締金具の外れを防止する点に存するものである。その結果、コンクリート型枠緊締金具の取付に対して、板セパレータを使用することでせき板に複数のセパ孔を穿孔して丸セパを取付ける煩雑な作業を省略的にし、また、セパレータ部材との連接部に磨耗の激しいネジを使用しないことからコンクリート型枠緊締金具の保守点検管理が容易になる。  
【００１２】
また、頭部の構造にあっては、セパレータ部材である丸鋼の両端部に成形された丸セパのネジと螺合する穿孔ネジを形成してなる分離可能な螺合部材をコンクリート型枠緊締金具の頭部に装着する。したがって、丸セパに対しても使用を可能にするものであり、使用頻度により、磨耗の激しい螺合部材をリベット状の固定ピンを挿し込み装着することで取替えを容易にしたことにある。
【００１３】
さらに、頭部の構造にあっては、セパレータ部材である丸鋼の両端部に成形された丸セパのネジ部が貫通する挿通孔を穿孔してなる連結板をコンクリート型枠緊締金具の胴部と直交して頭部先端に固着し、前記連結板の挿通孔から突出する丸セパのネジ部に螺合する長ナットにより締付け固定する点に存するものである。その結果、磨耗の激しい螺合部材である連結締付け部に安価な長ナットを使用することで、取替えが簡単でありコスト的効果を得ることになる。
【００１４】
前述記載する胴部の構造にあっては、金属板の後端部にバタ材を安定的に支持するための略コ字型状の縁鍔を形成してなる鞍部材の下部に、胴部を抱き込むように形成された包囲部材が固着し、その先端部は、コンクリート型枠緊締金具を挟着固定するために、コンクリート型枠縁リブに嵌合する略凹状の開先挟着口を設ける。但し、開先挟着口を必要とするのは、板セパレータに対して用いるコンクリート型枠緊締金具に限る。
【００１５】
また、丸セパに対して用いるコンクリート型枠緊締金具の胴部においては、バタ材の締め過ぎを制限するため、略Ｃ型クリップ状のストッパーピンを差し込むためのピン孔を胴部に設け、ストッパーピンを挟着し、鞍部材の移動を制限することでバタ材の締め過ぎを防止する点に存するものである。したがって、バタ材の締め過ぎを防止しすることにより、せき板の変形を防止することになり、躯体であるコンクリート面の平滑性を保持することになる。
【００１６】
前述記載する後端部の構造にあっては、胴部の後部に鞍部材を押圧する締付ボルトが螺合するナットを固着し、バタ材を載置した鞍部材を押圧する構造にある。
【００１７】
また、前述記載の板状セパレータにあっては、セパレータ部材である本出願人が特開２００６−２０７３６７号公報で提案した、コンクリート面から不要部分を捩切取る板状セパレータの両端部に係止する係止孔を穿孔した前記板状セパレータに、コンクリート型枠緊締金具の頭部に固着した連接部材に連結ピンを差し込むための連結孔を穿孔した点に存するものである。その結果、コンクリート型枠緊締金具と板状セパレータを連結ピンにより連結するため、緊締作業を簡便にするとともにコンクリート型枠緊締金具の保守点検管理が容易になる。
【発明の効果】
【００１８】
本発明にあっては、対抗するコンクリート型枠間に介装されてコンクリート型枠の間隔を保持するセパレータ部材を介してコンクリート型枠を緊締する金具であって、万力的な構造に形成した耐力性を有する胴部にバタ材を載置する鞍部材を進退可能に装架するとともに、後部に前記鞍部材に載置されたバタ材をコンクリート型枠に対して押圧する押圧部材を具備し、頭部にセパレータ部材である板セパレータ、丸セパ、板状セパレータに対して用いるための前記セパレータ部材に結合する構造を有する、それぞれのコンクリート型枠緊締金具の形態にある。
【００１９】
前述記載する、コンクリート型枠緊締金具にあって、バタ材に平鋼を使用することで、万力的な構造にしたコンクリート型枠緊締金具の押圧部である締付ボルトの軸心および頭部の支持点が胴部に近づくことから、主体部である胴部に加わる曲げモーメントが少なくなる。その結果、応力的に有利となることから、本体部である胴部の部材を小さくすることができ、コンクリート型枠緊締金具が軽量的になる。
【００２０】
また、フォームタイを挟み上下に配置する鋼管バタ材を、平鋼のバタ材によりコンクリート型枠緊締金具の胴部に装架する鞍部材に上方から２枚重ねに載置することで、作業が簡便になり安全性も向上することになる。
【００２１】
さらに、バタ材に平鋼を使用することで単管に比して表面積が少なくり、防錆処理作業が容易となる。なお、バタ材には応力度が大きくて曲がりにくい特殊鋼である硬質の平鋼Ｓ５０Ｃ、Ｓ５５Ｃ等を使用すれば、該バタ材の属性がよくなり、維持管理も有利となる。
【００２２】
前述記載に伴い、板セパレータに対して用いるコンクリート型枠緊締金具にあっては、板セパレータに開設された係止孔と相似する挿通孔を設けてなる板状の頭部を有し、胴部にバタ材を載置する進退可能な鞍部材を装架するとともに、後部に前記鞍部材に載置されたバタ材をコンクリート型枠に対して押圧する押圧部材を具備する構造にし、連設するコンクリート型枠の縁リブ同士間に板セパレータを挟み込み縁リブに形成されたクリップ孔を介してクリップ金具で連結した該クリップ金具の突出部を利用してコンクリート型枠緊締金具を装着することで格別な作業を省略することになる。
【００２３】
また、丸セパに対して用いるコンクリート型枠緊締金具の胴部においては、バタ材の締め過ぎを阻止する変形防止用のストッパーピンを差し込むピン孔を穿孔し、ストッパーピンを挿着することで鞍部材の移動を制限することになることから、せき板に影響を与えることがなくなる。したがって、特製のスペーサ金具を携帯することもなく取り扱い作業が容易となる。
【発明を実施するための最良の形態】
【００２４】
板セパレータ、丸セパ、板状セパレータに対して用いるコンクリート型枠緊締金具の形態を万力的な構造にし、胴部に進退可能な鞍部材を装架したことで平鋼のバタ材を安定良く２枚重ねに上方から載置することにより、バタ材の載置および取り外し作業が安全的かつ、作業性が向上することになる。また、バタ材に平鋼を使用することで押圧部に具備する締付ボルトの軸心と頭部の支持点が胴部に近づくことで、曲げモーメントに対する負担が少なくなるため、構造的に有利となる。さらに、バタ材に平鋼を使用することで、単管等に比して体積量が少なくなることから現場での保管および足場上での仮置が容易になる。
【実施例１】
【００２５】
以下、本発明によるコンクリート型枠緊締金具の実施の形態を図1〜図１５または符号に基づいて説明するが、万力的な構造を有するコンクリート型枠緊締金具について、把握を容易にするため、各部位をセパレータ部材に結合する連接部である頭部の構造、バタ材を載置するための鞍部材を装架する胴部の構造、鞍部材を押圧する押圧部である後部の構造に区分けて説明することを原則にする。また、バタ材については、縦、斜に使うことも可能であるが横使いにすることを前提に説明する。  
【００２６】
また、本発明を図示の実施例に基づいてさらに詳述するが、本発明はこれに限定されるものではなく、本発明の技術的思想を逸脱しない範囲において適宜変更を加えうるものであることは勿論であることを理解されたい。  
【００２７】
まず、実施の形態を図１〜図５または図１５に基づき説明するが、板セパレータ１に対して用いるコンクリート型枠緊締金具２は、一定間隔にクリップ孔が形成された断面形状がＬ型の縁リブ３を、せき板４の両端にボルト等を用いて固定した単体のコンクリート型枠５を連設する縁リブ３同士間に、図２に示す板セパレータ１を挟み込み、クリップ孔を介してクリップ金具６で連結し、図１５に示すように、コンクリート型枠５は、５ａ、５ｂ、５ｃと複数枚連設することになる。前記コンクリート型枠５には、せき板４の補強のため、木質あるいは金属製の中間リブ７が配置されている。  
【００２８】
前述記載の板セパレータ１は、両端部にクリップ金具６を係止するための係止孔が穿設されており、また、仮止めを容易にするための受止め部８と折曲タブ９が形成されている。  
【００２９】
また、前記板セパレータ１は、コンクリート面から食み出さない位置に折り曲げて切取るためのＶカット溝１０が刻設されている。また、切取り部の防錆処理を必要とする場合にあっては、板セパレータ１の材質をステンレスにし、防錆処理を省略することが好ましい。  
【００３０】
なお、縁リブ３間に挟む前記板セパレータ１の間隙には、板セパレータ１と同じ厚みである軟質塩ビ系のマグネットシートあるいは隙間テープを貼付けることが望ましい。しかし、板セパレータ１の厚みが１．２ｍｍ以下の場合は、この処理を省略することが望ましい。  
【００３１】
セパレータ部材に結合する連接部である頭部の構造にあっては、金属板を図１に示すように大略Ｌ形喫煙パイプ状に形成したアーム状に延出す頭部に、クリップ金具６の突出部１１に結合させるための挿通孔１２を穿孔し、この頭部先端面下方は胴部１３の回動を防止するための接点部１４が縁リブ３の辺部に当接する形状にしてなる。前記挿通孔１２の孔心は、後述する鞍部材を押圧する締付ボルト１５の軸心である線上と一致するようにする。
【００３２】
バタ材を載置するための鞍部材を装架する胴部の構造にあって、胴部１３は、曲げモーメントに対抗する部位であり、耐力的に必要とする断面を有し、その先端頭部にクリップ金具６の突出部１１に結合させるための挿通孔１２を穿孔し、後部に鞍部材１６を押圧するための押圧部材を具備する主体部であり、その胴部１３に、金属板の後部にバタ材１７を受止めるための縁鍔を有する嵌受口１８を図１に示すように略コ字型フック形状に屈曲形成し、他方平面先端部に図４に示すように略凹状の開先挟着口１９を穿設した鞍部材１６に、胴部１３を包囲するコ字状に屈曲形成した包囲部材２０を胴部１３に嵌合し、前記鞍部材１６の背面に溶着固定してなる。
【００３３】
鞍部材を押圧する押圧部である後部の構造にあっては、鞍部材１６を押圧する締付ボルト１５が螺合したナット２１を胴部１３の後端部に溶着固定してなる。なお、胴部１３、アーム形状の頭部、ナット２１、挿通孔１２は圧搾鍛造により一体成型することも可能である。  
【００３４】
図３は、鞍部材の正面を示すもので、包囲部材２０とバタ材１７を押圧するための鞍部材１６の取り合い部を示すものであり、鞍部材１６は締付ボルト１５の回転により前後の移動が可能であり、バタ材１７を載置する時および取外す時は後退させ、締付ける時は前進する進退可能なスライド式の形態である。  
【００３５】
図５は、クリップ金具６の斜視図であり、該クリップ金具６は公知され従来から多用されている金具である。  
【００３６】
コンクリート型枠緊締金具２の使用方法については、前述記載するクリップ金具６の突出部１１に挿着し、胴部１３に装架された凹状の開先挟着口１９を有する鞍部材１６にバタ材１７を載置した後、胴部１３の後部に固着するナット２１に螺着した締付ボルト１５を回転させて締付けることでバタ材１７を載置した鞍部材を押圧すると同時に開先挟着口１９が縁リブ３に嵌着することでコンクリート型枠緊締金具２は固定する。したがって、複数枚連設したコンクリート型枠５は、バタ材１７により縁リブ３および中間リブ７の背面を押圧することになり、複数枚列設されたコンクリート型枠５はバタ材１７に引き付けられて万遍無く滑らかな一面のコンクリート型枠が構築されることになる。
【実施例２】
【００３７】
図６〜図９は、丸セパ２２に対して用いるコンクリート型枠緊締金具２３であり、セパレータ部材に結合する連接部である頭部の構造にあっては、図８の断面に示すように略２本足の凧あるいは凹形状に金属部材を圧搾鍛造により成形し、頭心部に丸セパ２２と螺合する穿孔ネジ２４を刻設した螺合部材２５を胴部１３先端部に嵌め込み、リベット状の固定ピンを差し込むための貫通する固定孔２６を穿孔し、前記固定ピン２７を挿し込み固定する。また、前記固定ピン２７の先端には係止ピン２８を挿入するための挿通孔２９を穿孔し、弾力性の良い金属質であるピアノ線により図９に示すように略Ｃ字状に形成した抜け防止用の係止ピン２８を係止してなる。前記螺合部材２５の穿孔ネジ２４心は、締付ボルト１５の軸心の線上と一致するようにする。また、前記螺合部材２５は、磨耗が激しく使用頻度により定期的に取替えるため分離可能にした形態である。したがって、前述記載の係止ピン２８は、簡単に嵌め外しができる形態にする。
【００３８】
バタ材を載置するための鞍部材を装架する胴部の構造にあって、胴部１３は、曲げモーメントに対抗する部位であって、耐力的に必要とする厚みを有する断面を有し、頭部に丸セパ２２と結合するための連接部材を具備し、後部に鞍部材３０を押圧するための押圧部材を具備する主体部であり、その胴部１３に対して、金属板の後部にバタ１６を受止めるための縁鍔を有する嵌受口１８を図６に示すように略コ字型フック形状に屈曲形成した鞍部材１６に、胴部１３を包囲するコ字状に屈曲形成した包囲部材２０を胴部１３に嵌合し、前記鞍部材１６の背面に溶着固定してなり、また、胴部１３には、せき板４の変形を防止するためのストッパーピン３１を差し込むためのピン孔３２を穿孔し、胴部１３にストッパーピン３１を差し込み挟着する。したがって、ストッパーピン３１と鞍部材３０の下部に固着されている包囲部材２０が当接することでバタ材１７の移動を制限し、せき板４の湾曲変形または軟質の断熱材を貼り付けたせき板４の圧縮変形を防止する、換言すれば、せき板４に対して影響を与えないことになる。
【００３９】
前述記載のストッパーピン３１の形態は、弾力性の良い金属質の丸棒により、図８に示すように略Ｃ字型クリップ状に形成し、胴部１３のピン孔３２にストッパーピン３１を差し込み挟着する。しかし、ストッパーピン３１は、必ずしも必要なものでなくせき板の変形に対して影響を受けない場合は不要であり、簡単に取外すことができる形態にする。  
【００４０】
鞍部材を押圧する押圧部である後部の構造にあっては、実施例１で説明したコンクリート型枠緊締金具２と同様である。    
【００４１】
コンクリート型枠緊締金具２３の固定方法については、せき板４に穿孔されているセパ孔３３に丸セパ２２を嵌挿し、丸セパ２２に装着するコーン３４で受止め、せき板４から突出した丸セパ２２のネジ部に該コンクリート型枠緊締金具２３を螺合し、丸セパ２２に形成されたスッパナ係止部（図面省略）にスッパナ等の工具を用いて締付けることで丸セパ２２とコンクリート
型枠緊締金具２３はせき板４に挟着固定することになる。
【実施例３】
【００４２】
図１０〜図１２は、丸セパ２２に対して用いるコンクリート型枠緊締金具３５であり、セパレータ部材に結合する連接部である頭部の構造にあっては、金属板を図１２に示す形状に成型した連結板３６に丸セパ２２の挿通孔３７を穿孔し、前記連結板３６を胴部１３の先端に直交するように溶着固定してなる。また、前記連結板３６にあっては、丸セパ２２の挿通孔３７である孔心は、側面図において締付ボルト１５の軸心の線上に位置するように穿孔する。詳しくは、側面図において、締付ボルト１５の軸心と挿通孔３７の孔心が一致すが、平面図のおいては締付ボルト１５の軸心と挿通孔３７の孔心が僅かに扁心することになるが、バタ材１７と鞍部材３０が密着固定することで扁心力による座屈を補助する構造となる。    
【００４３】
バタ材を載置するための鞍部材を装架する胴部の構造にあっては、実施例２で説明したコンクリート型枠緊締金具２３と同様である。  
【００４４】
鞍部材を押圧する押圧部である後部の構造にあっては、実施例１で説明したコンクリート型枠緊締金具２と同様である。
【００４５】
コンクリート型枠緊締金具３５の固定方法については、せき板４に穿孔されているセパ孔３３に丸セパ２２を嵌挿し、丸セパ２２に装着するコーン３４で受止め、せき板４から突出した丸セパ２２のネジ部に該コンクリート型枠緊締金具３５の頭部に固着する連結板３６を挿着し、前記ネジ部に長ナット３８を螺合し、スッパナ等の工具を用いて締付ることで丸セパ２２とコンクリート型枠緊締金具３５はせき板４に挟着固定することになる。  
【実施例４】
【００４６】
図１３、図１４は、板状セパレータ３９に対して用いるコンクリート型枠緊締金具４０であり、セパレータ部材に結合する連接部である頭部の構造にあっては、矩形断面の金属板を図１３に示すように略Ｕ字型蛇口状に屈曲形成したＵ型金物４１を、金属板による間接板４２の上方に溶着してなる連接部材に、板状セパレータ３９に穿設された係止孔４３に係止するための連結ピン４４を差し込む挿通孔４５を穿孔し、その間接板４２を胴部１３の先端部上方に溶着固定する。また、胴部１３の先端は、連結ピン４４の抜取り操作を容易にするために角を斜めに切除く。また、前記間接板４２と鞍部材３０の先端が当接部４６に当接することで鞍部材３０の移動を停止させることになり、締付ボルトによる締め過ぎを防止することになる。したがって、せき板４の湾曲変形または軟質の断熱材を貼り付けたせき板４の圧縮変形を防止する、換言すれば、せき板４に対して影響を与えないことになる。  
【００４７】
前述記載の連結ピン４４は、丸鋼により先端部の差し込みを容易にするため円錐台形のテーパー状に形成し、中間部は挿通孔４５に差し込み可能な円径に形成し、上端部はストッパー（掛け止め）に適した太さの円径に形成する。しかし、この形状は特に限定するものでなく用途に適合すれば良いことを理解されたい。  
【００４８】
バタ材を載置するための鞍部材を装架する胴部の構造にあっては、実施例２で説明したコンクリート型枠緊締金具２３とほぼ同様であり、異なる点は、胴部１３に穿孔する、せき板４の変形を防止するためのストッパーピン３１を差し込むためのピン孔３２が不要である。  
【００４９】
鞍部材を押圧する押圧部である後部の構造にあっては、実施例１で説明したコンクリート型枠緊締金具２と同様である。  
【００５０】
また、前述記載の板状セパレータ３９は、本出願人が特開２００６−２０７３６７号公報で提案する板状セパレータを利用するものであり、平鋼の両端部にコンクリート面から突出する不要部分を捩切取るための断面欠損部４７を形成し、その欠損部にコーン４８を受止めるための受け板４９を係止し、板状セパレータ３９の軸心を支持する突出部５０を有する円錐台形状の軸心部に板状セパレータ３９を挿通する貫通孔５１を形成してなるコーン４８を、せき板４のセパ孔５２に前記突出部５０を嵌め込み、板状セパレータ３９を挿通し、せき板４から突出する部分にコンクリート型枠緊締金具４０の連接部材４０の挿通孔４５と一致する係止孔４３を穿孔してなる。  
【００５１】
コンクリート型枠緊締金具４０の固定方法については、せき板４に穿孔されているセパ孔３３に板状セパレータ３９を挿通し、板状セパレータ３９に装着するコーン４８で受止め、該コンクリート型枠緊締金具４０の頭部に間接板４２を介して固着するＵ型金物４１に板状セパレータ３９を嵌め合わせ、前記連接部の挿通孔４５に連結ピン４４を差し込むことで丸セパ２２とコンクリート型枠緊締金具３５はせき板４に挟着固定することになる。  
【００５２】
以下、図１５は、コンクリート型枠緊締金具の配置を示す一例であり、コンクリート型枠緊締金具２は、コンクリート型枠５の連設部である縁リブ３間に挟着する板セパレータ１を介してクリップ金具６により嵌着固定した、前記クリップ金具６の突出部１１に結合させて固定する。また、コンクリート型枠緊締金具２３またはコンクリート型枠緊締金具３５は、縁リブ３とバタ材１７が交差しない個所に丸セパ２２と前記コンクリート型枠緊締金具でせき板４を挟着することで、せき板４に固定するが、コンクリート型枠緊締金具４０は、板状セパレータ３９と前記コンクリート型枠緊締金具でせき板４を挟着することで、せき板４に固定する。
【図面の簡単な説明】
【００５３】
【図１】本発明にかかる板セパレータに対して用いるコンクリート型枠緊締金具の構造を示す側面図
【図２】本発明にかかる板セパレータに対して用いるコンクリート型枠緊締金具の構造を示す平面図
【図３】鞍部材の正面を示す図１のＡ−Ａ線正断面図
【図４】本発明にかかるコンクリート型枠緊締金具の胴縁材載置用の鞍部材を示す平面図
【図５】コンクリート型枠の連結に用いるクリップ金具の斜視図
【図６】本発明にかかる丸セパに対して用いるコンクリート型枠緊締金具の構造を示す側面図
【図７】本発明にかかる丸セパに対して用いるコンクリート型枠緊締金具の構造を示す平面図
【図８】ストッパーピンを示す図６のＢ−Ｂ線正断面図
【図９】螺合部材を示す図7のＣ−Ｃ線正断面図
【図１０】本発明にかかる丸セパに対して用いるコンクリート型枠緊締金具の構造を示す側面図
【図１１】本発明にかかる丸セパに対して用いるコンクリート型枠緊締金具の構造を示す平面図
【図１２】連結板を示す、図１０のＤ−Ｄ線正断面図
【図１３】本発明にかかる板状セパレータに対して用いるコンクリート型枠緊締金具の構造を示す側面図
【図１４】本発明にかかる板状セパレータに対して用いるコンクリート型枠緊締金具の構造を示す平面図
【図１５】コンクリートユニット型枠を構築する構成部材の配置を示す部分正面図
【符号の説明】
【００５４】
１  板セパレータ  ２  コンクリート型枠緊締金具  ３  縁リブ    ４  せき板      ５  コンクリート型枠    ６  クリップ金具７  中間リブ８  受止め部９  折曲タブ１０  Ｖカット溝１１  突出部１２  挿通孔１３  胴部１４  接点部１５  締付ボルト１６  鞍部材１７  バタ材１８  嵌受口１９  開先挟着口２０  包囲部材２１  ナット２２  丸セパ２３  コンクリート型枠緊締金具２４  穿孔ネジ２５  螺合部材２６  固定孔２７  固定ピン２８  係止ピン２９  挿通孔３０  鞍部材３１  ストッパーピン３２  ピン孔  ３３  セパ孔３４  コーン３５  コンクリート型枠緊締金具３６  連結板３７  挿通孔３８  長ナット３９  板状セパレータ４０  コンクリート型枠緊締金具４１  Ｕ型金物４２  間接板４３  係止孔４４  連結ピン４５  挿通孔  ４６  当接部４７  断面欠損部４８  コーン  ４９  受け板５０  突出部  ５１  貫通孔５２  セパ孔５３  スラブ型枠５４  横リブ５５  敷き木５６  コンクリート  
【図１】
2009057727.tif 000003
【図２】
2009057727.tif 000004
【図３】
2009057727.tif 000005
【図４】
2009057727.tif 000006
【図５】
2009057727.tif 000007
【図６】
2009057727.tif 000008
【図７】
2009057727.tif 000009
【図８】
2009057727.tif 000010
【図９】
2009057727.tif 000011
【図１０】
2009057727.tif 000012
【図１１】
2009057727.tif 000013
【図１２】
2009057727.tif 000014
【図１３】
2009057727.tif 000015
【図１４】
2009057727.tif 000016
【図１５】
2009057727.tif 000017